(57)【要約】【課題】被塗布面と塗布容器の接する角度が様々に変化しても、また、長期に使用しても、塗布液を被塗布面に安定して供給でき、且つ、広範囲に塗り延ばすことができる塗布容器を提供する。【解決手段】容器本体と内キャップと塗布体と外キャップとを有する塗布容器であって、前記内キャップの上端部には、第１吐出口を有し、前記塗布体は、弾性のある球面状の上部を有していて、該上部で上端部の周りに複数の第２吐出口を有し、前記内キャップと前記塗布体の間には、塗布液を一時保持する、塗布液貯留空間を有し、前記第１吐出口は、前記塗布体を上方から押圧することによって開口する封止機構によって封止されていることを特徴とする。【選択図】図１
2012012056.tif 000002
【特許請求の範囲】
【請求項１】
容器本体と内キャップと塗布体と外キャップとを有する塗布容器であって、
前記内キャップの上端部には、第１吐出口を有し、
前記塗布体は、弾性のある球面状の上部を有していて、該上部で上端部の周りに複数の第２吐出口を有し、
前記内キャップと前記塗布体の間には、塗布液を一時保持する、塗布液貯留空間を有し、前記第１吐出口は、前記塗布体を上方から押圧することによって開口する封止機構によって封止されていることを特徴とする塗布容器。
【請求項２】
前記外キャップは、内面に環状突起を有し、該外キャップを閉めたときに、前記環状突起が、前記第２吐出口を外側から塞ぐことを特徴とする請求項１に記載の塗布容器。
【請求項３】
前記封止機構が、前記弾性体によって封止ピンが押し上げられ、該封止ピンが前記第１吐出口を内側から封止する機構であることを特徴とする請求項１または２に記載の塗布容器。
【請求項４】
前記封止機構が、前記塗布体の上端部内面より下方に、前記第１吐出口を通って、一体として設けられ、柱状ピンの先端の膨らみ部が、前記第１吐出口を内側から封止する機構であることを特徴とする請求項１または２に記載の塗布容器。
【発明の詳細な説明】
【技術分野】
【０００１】
本発明は、塗布容器に関するものである。
【背景技術】
【０００２】
従来より塗布容器は、制汗剤、肩こり用消炎剤や窓ガラスの撥水剤、靴磨きクリームなどを塗布する道具兼容器として広く用いられている。また、修正ペンのように、紙などの被塗布面に押し付けて、塗布液を吐出し、押し付け状態をとめると塗布液の吐出が止まる構造のものがある。
【０００３】
これは、吐出口に内側から柱状のノックピンがバネによって押し付けられて密封状態を作っており、一部飛び出している柱状のノックピンの先端を押し込むとこの柱状のノックピンと吐出口に隙間が開いて、その隙間から塗布液が吐出できる構造になっている。
【０００４】
その塗布容器の被塗布面に接して塗布液を塗布する塗布体として、スポンジを用いるものや、回転自在に保持されたボールを用いるものがある。
【０００５】
スポンジを用いるものとしては、塗布容器の口部にスポンジをつけて、使用に際し容器を傾けて塗布液をスポンジに吸収させて滲み出させ、スポンジで塗布液を所定の部位に塗布させる塗布容器が有った（特許文献１）。
【０００６】
また、ボールを塗布体として用いるものとしては、容器と、塗布ボールを保持する保持筒を具えた中栓と、キャップとからなる塗布容器で、保持筒内周面下端部に、塗布ボール面と接合する上端面を有する突出リングを設け、該突出リングと、保持筒の内周面、塗布ボールとの間に液貯め部を形成させ、保持筒の内周面に溝を設け、保持筒上端を密封するようにした塗布容器が有った（特許文献２）。
【０００７】
公知文献を以下に示す。
【先行技術文献】
【特許文献】
【０００８】
【特許文献１】実開平５−３５７２７号公報
【特許文献２】特開２００５−１８６９９７号公報
【発明の概要】
【発明が解決しようとする課題】
【０００９】
上述のこれらの塗布容器は、逆さにして被塗布面に押し付けることで、塗布液を吐出することはできるが、その塗布液を薄く延ばして塗布することができなかったり、スポンジのような多孔質のものを使用すると、使っている間に目詰まりして使用できなくなってしまったりすることがあった。
【００１０】
また、制汗剤のように、身体の皮膚面に薄く塗り延ばす動作を考えると、被塗布面と塗布容器の接する角度は様々に変化し、既存の塗布容器の構造では液が出ないとか、さらに広範囲に塗り延ばすことができないなど問題があった。
【００１１】
本発明は、被塗布面と塗布容器の接する角度が様々に変化しても、また、長期に使用し
ても、塗布液を被塗布面に安定して供給でき、且つ、広範囲に塗り延ばすことができる塗布容器を提供することを課題とする。
【課題を解決するための手段】
【００１２】
本発明は係る課題に鑑みなされたものであり、請求項１の発明は、容器本体と内キャップと塗布体と外キャップとを有する塗布容器であって、前記内キャップの上端部には、第１吐出口を有し、前記塗布体は、弾性のある球面状の上部を有していて、該上部で上端部の周りに複数の第２吐出口を有し、前記内キャップと前記塗布体の間には、塗布液を一時保持する、塗布液貯留空間を有し、前記第１吐出口は、前記塗布体を上方から押圧することによって開口する封止機構によって封止されていることを特徴とする塗布容器である。
【００１３】
本発明の塗布容器は、以上のような構成であって、内キャップと塗布体の間に、塗布液を一時保持する、塗布液貯留空間を有して、内キャップの第１吐出口に、塗布体を上方から押圧することによって開口する封止機構が設けられているので、塗布体を押圧して、塗布液貯留空間に塗布液を一時保持することができ、被塗布面と塗布容器の接する角度が様々に変化しても、また、長期に使用しても、塗布液を被塗布面に安定して供給でき、且つ、広範囲に塗り延ばすことができる。
【００１４】
本発明の請求項２の発明は、前記外キャップは、内面に環状突起を有し、該外キャップを閉めたときに、前記環状突起が、前記第２吐出口を外側から塞ぐことを特徴とする請求項１に記載の塗布容器である。
【００１５】
本発明はさらに、上記構成によって、塗布体の第２吐出口を外側から塞ぐことができるので、使用しないときに、塗布液がこぼれたり、蒸散したりすることがない。
【００１６】
本発明の請求項３の発明は、前記封止機構が、前記弾性体によって封止ピンが押し上げられ、該封止ピンが前記第１吐出口を内側から封止する機構であることを特徴とする請求項１または２に記載の塗布容器である。
【００１７】
本発明はさらに、封止機構が、前記弾性体によって封止ピンが押し上げられ、該封止ピンが前記第１吐出口を内側から封止する機構であるので、簡単な構造で確実に、第１吐出口を封止することができ、塗布液を吐出するときは、容易に第１吐出口を開くことができる。
【００１８】
本発明の請求項４の発明は、前記封止機構が、前記塗布体の上端部内面より下方に、前記第１吐出口を通って、一体として設けられ、柱状ピンの先端の膨らみ部が、前記第１吐出口を内側から封止する機構であることを特徴とする請求項１または２に記載の塗布容器である。
【００１９】
本発明はまた、封止機構が、前記塗布体の上端部内面より下方に一体として設けられた柱状ピンの先端の膨らみ部が、前記第１吐出口を内側から封止する機構であるので、簡単な構造で確実に、第１吐出口を封止することができ、塗布液を吐出するときは、容易に第１吐出口を開くことができる。
【発明の効果】
【００２０】
本発明の塗布容器は、以上のような構成からなっているので、被塗布面と塗布容器の接する角度が様々に変化しても、また、長期に使用しても、塗布液を被塗布面に安定して供給でき、且つ、広範囲に塗り延ばすことができる。
【図面の簡単な説明】
【００２１】
【図１】本発明の塗布容器の一例の一部を残して切断した状態を模式的に示した説明図である。
【図２】本発明の塗布容器の一例の封止機構を模式的に示した正面図である。
【図３】本発明の塗布容器の一例の塗布体を模式的に示した斜視図である。
【図４】本発明の塗布容器の他の例を模式的に示した断面図である。
【発明を実施するための形態】
【００２２】
以下本発明を実施するための形態につき説明する。図１は、本発明の塗布容器の一例の一部を残して切断した状態を模式的に示した説明図、図２は、本発明の塗布容器の一例の封止機構を模式的に示した正面図、図３は、本発明の塗布容器の一例の塗布体を模式的に示した斜視図である。
【００２３】
本例の塗布容器１は、容器本体２と内キャップ３と塗布体４と外キャップ５とを有する。そして、内キャップ３の上端部には、第１吐出口６を有し、前記塗布体４は、弾性のある素材からなり、球面状の上部を有していて、該上部で上端部の周りに複数の第２吐出口７を有し、前記内キャップ３と前記塗布体４の間には、塗布液を一時保持する、塗布液貯留空間８を有する。
【００２４】
前記第１吐出口６は、封止機構の弾性体９により下方から押し付けられた、柱状ノックピンからなる封止ピン１０で、内側から封止されている。そして、前記塗布体４を上方から押圧することによって封止していた封止ピン１０を押し下げ、第１吐出口６が開口される。
【００２５】
容器本体２は、プラスチックでも良いし、ガラスは、金属でできていても良い。容器本体２の開口部には内キャップ３が取り付けられている。内キャップ３は、プラスチック素材であることが好ましいが、金属でできていてもかまわない。内キャップ３の上端部には、第１吐出口６が開けられていて、容器本体２の中の塗布液を内キャップ３と塗布体４の間の塗布液貯留空間８に吐出できるようになっている。
【００２６】
内キャップ３の内部は中空となっていて、そして、中空部分にある弾性体９が柱状ノックピンからなる封止ピン１０を押し上げて、第１吐出口６を内側から封止できるようになっている。
【００２７】
弾性体９は螺旋状のプラスチックからなっていて、上下に押圧などによって伸び縮みするようになっている。また、封止ピン１０は弾性体９の上端に設けられ、同じくプラスチックでなっている。
【００２８】
そして、弾性体９の下端は、内キャップ３の下部に固定されている。これにより、柱状ノックピンからなる封止ピン１０は弾性体９によって、第１吐出口６に差し込まれ、第１吐出口６を内側から封止していて、塗布容器１を逆さにして、塗布体４を押すことによって、封止ピン１０が押されて、第１吐出口６との接触がはなれ、隙間が生じて開口され、塗布液が第１吐出口６より吐出され、塗布液貯留空間８に溜まる。押すのをやめると、封止ピン１０が戻り、第１吐出口６に差し込まれ、第１吐出口６が内側から封止される。
【００２９】
内キャップ３の上部には、塗布体４が液密に取り付けられている。本例では、内キャップ３を、塗布体４が覆うように取り付けられている。そして、塗布体４の下端部と内キャップ３と容器本体２の先端部が固定するように押さえられている。
【００３０】
塗布体４の上部には、複数の第２吐出口７が、上端部を取り巻くようにその周りに開けられている。第２吐出口７の形状は、丸孔であることが、スムーズな塗布ができることか
ら好ましいが、これに限られることではない。
【００３１】
塗布体４は、押されるとへこむ必要があり、ゴム弾性を有するエラストマーからなることが好ましい。孔の大きさは、丸孔の場合は直径が、１ｍｍ以上、３ｍｍ以下であることが好ましいが、塗布する塗布液の量と塗布液の粘性によって、調整すればよい。
【００３２】
外キャップ５は、容器本体２と嵌合あるいは螺合して、閉めたときに、しっかり所定の位置までかぶさるようになっていて、外キャップ５の上部内面に設けられた環状突起１１が塗布体４に開けられた第２吐出口７を外側から塞ぐようになっている。外キャップ５もプラスチックあるいは金属でできていることが好ましい。
【００３３】
この塗布容器１を使うには、外キャップ５を外して、逆さにして、塗布体４の上端部を押して、容器本体２の中の塗布液を第１吐出口６を通して、塗布液貯留空間８に溜め、塗布面に塗布体４を押し付けて圧迫すると塗布液貯留空間８に溜まっていた塗布液が、第２吐出口７から塗布体４の外表面に出て、塗布面に塗布することが出きる。
【００３４】
塗布容器１を仕舞うときは、外キャップ５を容器本体２に嵌合あるいは螺合させてはめる。これによって、第２吐出口７は環状突起１１によって外側から塞がれる。また、第１吐出口６も、押圧されていないので、柱状ノックピンからなる封止ピン１０で第１吐出口６が内側から封止されている。このように、第１吐出口６と第２吐出口７が閉まっているので、塗布液が漏れたり、蒸散したりすることがない。
【００３５】
図４は、本発明の塗布容器の他の例を模式的に示した断面図である。
本例の塗布容器１００も前述の塗布容器１と同様に、容器本体２と内キャップ３と塗布体４と外キャップ５とを有する。そして、内キャップ３の上端部には、第１吐出口６を有し、前記塗布体４は、弾性のある素材からなり、球面状の上部を有していて、該上部で上端部の周りに複数の第２吐出口７を有し、前記内キャップ３と前記塗布体４の間には、塗布液を一時保持する、塗布液貯留空間８を有する。
【００３６】
本例の塗布容器１００の封止機構では、第１吐出口６は、塗布体４の上端部内面より下方に一体として設けられた柱状ピン１２が通っており、柱状ピン１２の先端の膨らみ部１３が、前記第１吐出口６を内側から封止している。そして、前記塗布体４を上方から押圧することによって、封止していた膨らみ部１３を押し下げ、第１吐出口６が開口される。
【００３７】
容器本体２は、プラスチックでも良いし、ガラスは、金属でできていても良い。容器本体２の開口部には内キャップ３が取り付けられている。内キャップ３は、プラスチック素材であることが好ましいが、金属でできていてもかまわない。
【００３８】
内キャップ３の上端部には、第１吐出口６が開けられている。内キャップ３の内部は中空で、容器本体２内部とから、第１吐出口６まで連通していている。そして、容器本体２の中の塗布液を内キャップ３と塗布体４の間の塗布液貯留空間８に吐出できるようになっている。
【００３９】
内キャップ３の上部には、塗布体４が液密に取り付けられている。本例では、内キャップ３を、塗布体４が覆うように取り付けられている。そして、塗布体４の下端部と内キャップ３と容器本体２の先端部とを一体となるように固定し、押さえられている。
【００４０】
本例の塗布体４も図３と同形状である。すなわち、塗布体４の上部には、複数の第２吐出口７が、上端部を取り巻くようにその周りに開けられている。第２吐出口７の形状は、丸孔であることが、スムーズな塗布ができることから好ましいが、これに限られることで
はない。
【００４１】
塗布体４は、押されるとへこむ必要があり、ゴム弾性を有するエラストマーからなることが好ましい。第２吐出口７の孔の大きさは、丸孔の場合は直径が、１ｍｍ以上、３ｍｍ以下であることが好ましいが、塗布する塗布液の量と塗布液の粘性によって、調整すればよい。
【００４２】
外キャップ５は、容器本体２と嵌合あるいは螺合して、閉めたときに、しっかり所定の位置までかぶさるようになっていて、外キャップ５の上部内面に設けられた環状突起１１が塗布体４に開けられた第２吐出口７を外側から塞ぐようになっている。外キャップ５もプラスチックあるいは金属でできていることが好ましい。
【００４３】
この塗布容器１００を使うには、外キャップ５を外して、逆さにして、塗布体４の上端部を押して、容器本体２の中の塗布液を、第１吐出口６を通して塗布液貯留空間８に溜める。そして、塗布面に塗布体４を押し付けて圧迫すると塗布液貯留空間８に溜まっていた塗布液が、第２吐出口７から塗布体４の外表面に出て、塗布液を塗布面に塗布することが出きる。
【００４４】
塗布容器１を仕舞うときは、外キャップ５を容器本体２に嵌合あるいは螺合させてはめる。これによって、第２吐出口７は環状突起１１によって外側から塞がれる。また、第１吐出口６も、押圧されていないので、柱状ピン１２の先端の膨らみ部１３が内側より、第１吐出口６を封止している。このように、第１吐出口６と第２吐出口７が閉まっているので、塗布液が漏れたり、蒸散したりすることがない。
【符号の説明】
【００４５】
１、１００・・・塗布容器
２・・・容器本体
３・・・内キャップ
４・・・塗布体
５・・・外キャップ
６・・・第１吐出口
７・・・第２吐出口
８・・・塗布液貯留空間
９・・・弾性体
１０・・・封止ピン
１１・・・環状突起
１２・・・柱状ピン
１３・・・膨らみ部
【図１】
2012012056.tif 000003
【図２】
2012012056.tif 000004
【図３】
2012012056.tif 000005
【図４】
2012012056.tif 000006